(57)【要約】【課題】着生のための面積を広くとることができると共に、低コストで且つ取扱い容易な藻場造成礁を提供する。【解決手段】海藻の着生を促す着生ブロック１１および魚介類の幼稚仔の成育を促す成育マット１２を有する着生部２と、着生部２を囲繞するようにして収容するかご部３と、を備え、着生部２は、直方体形状に形成され、かご部３は、着生部２と相補的形状の内法形状を有する直方体形状に形成されている。【選択図】  図１
2015167524.tif 000002
【特許請求の範囲】
【請求項１】
海藻の着生を促す複数の着生ブロックを有する着生部と、
前記着生部を囲繞するようにして収容するかご部と、を備えたことを特徴とする藻場造成礁。
【請求項２】
前記着生部は、直方体形状に形成され、
前記かご部は、前記着生部と相補的形状の内法形状を有する直方体形状に形成されていることを特徴とする請求項１に記載の藻場造成礁。
【請求項３】
前記かご体部、鉄製の棒状材をかご状に組んで構成されていることを特徴とする請求項２に記載の藻場造成礁。
【請求項４】
前記かご部は、「コ」字状の２つのかご構成体を噛み合わせるようにして、接合したものであることを特徴とする請求項２または３に記載の藻場造成礁。
【請求項５】
前記かご部は、少なくとも１の面に、海底に定着させるための複数の突起を有していることを特徴とする請求項２ないし４のいずれかに記載の藻場造成礁。
【請求項６】
前記着生部は、魚介類の幼稚仔の成育を促す成育マット、を更に有していることを特徴とする請求項２ないし５のいずれかに記載の藻場造成礁。
【請求項７】
前記各着生ブロックは、ポーラスコンクリートブロックで構成されていることを特徴とする請求項１ないし６のいずれかに記載の藻場造成礁。
【発明の詳細な説明】
【技術分野】
【０００１】
本発明は、海藻の着生を促進する藻場造成礁に関するものである。
【背景技術】
【０００２】
従来、この種の藻場造成礁として、上部をポーラスコンクリートとし、下部を普通コンクリートとした海藻群落造成用コンクリートブロックが知られている（特許文献１参照）。
この海藻群落造成用コンクリートブロックは、海藻類着生層を構成する上部のポーラスコンクリートと、ポーラスコンクリートを支持する下部の普通コンクリートとを備えている。ポーラスコンクリートは薄手に形成され、普通コンクリートは厚手に形成され、全体として方形に形成されている。
【先行技術文献】
【特許文献】
【０００３】
【特許文献１】特開平１１−１３７１１７号公報
【発明の概要】
【発明が解決しようとする課題】
【０００４】
このような、従来の海藻群落造成用コンクリートブロック（藻場造成礁）では、ポーラスコンクリートおよび普通コンクリートをプレキャストコンクリートとして製造することになるため、それぞれのサイズに合わせた金型が必要となる。このため、コスト高になる問題があった。
また、海藻群落造成用コンクリートブロックには、手持ち用の部位が無く、人力で海中に投入するような小型のものでは、運搬等の取扱いが煩雑になる問題がある。
さらに、普通コンクリートの側面は、海藻類着生層と機能しないため、着生のための面積が制限される問題がある。
【０００５】
本発明は、着生のための面積を広くとることができると共に、低コストで且つ取扱い容易な藻場造成礁を提供することを課題としている。
【課題を解決するための手段】
【０００６】
本発明の藻場造成礁は、海藻の着生を促す複数の着生ブロックを有する着生部と、着生部を囲繞するようにして収容するかご部と、を備えたことを特徴とする。
【０００７】
この構成によれば、着生部が複数の着生ブロックを有するため、全体サイズの大小に対し、着生ブロックの個数の多少で対応させることができる。このため、全体サイズの大小に対応したサイズの着生ブロックを用意する必要がなく、コストの低減を図ることができる。また、かご部は、着生部を囲繞するようにして収容しているため、複数の着生ブロックのガタつきが抑制される。しかも、かご部は、それ自体が手持ち用の部位として機能する。したがって、運搬等の取扱いが極めて容易となる。さらに、かご部の内部が、複数の着生ブロックで満たされるため、着生のための面積を十分に執ることができる。また、かご部は、藻場造成礁の複数個を連結する場合に、その連結を容易にする。
【０００８】
この場合、着生部は、直方体形状に形成され、かご部は、着生部と相補的形状の内法形状を有する直方体形状に形成されていることが好ましい。
【０００９】
この構成によれば、十分な着生面積を確保しつつ、潮流に流され難い形態とすることができる。また、かご部により、複数の着生ブロックを直方体形状に一体化することができ、取扱い性を向上させることができる。
【００１０】
この場合、かご部は、鉄製の棒状材をかご状に組んで構成されていることが好ましい。
【００１１】
この構成によれば、海藻の成育に有用な鉄分を、簡単に供給することができる。また、かご部を重くすることで、これをアンカーとして機能させることができる。したがって、専用のアンカーが不要であり、この点でも、低コストで且つ潮流に流され難いものとすることができる。
【００１２】
また、かご部は、「コ」字状の２つのかご構成体を噛み合わせるようにして、接合したものであることが好ましい。
【００１３】
この構成によれば、かご部を、主要部分が共通な２つの部品（かご構成体）で構成することができる。したがって、かご部を簡単に作製することができ、かご部のコストを低減することができる。なお、２つのかご構成体は、同一のものであることが好ましい。かかる場合には、１種類の部品でかご部を構成することができる。
【００１４】
さらに、かご部は、少なくとも１の面に、海底に定着させるための複数の突起を有していることが好ましい。
【００１５】
この構成によれば、かご部をアンカーとして効果的に機能させることができる。なお、突起は、かご部を構成する棒状材を延長したものでもよいし、棒状材に別途取り付けた（固定した）部材であってもよい。
【００１６】
一方、着生部は、魚介類の幼稚仔の成育を促す成育マット、を更に有していることが好ましい。
【００１７】
この構成によれば、成育マットにより、魚介類の幼稚仔の成育が促進され、生物多様性の成育環境（藻場）を造成することができる。なお、成育マットとして、透水マットを用いることが好ましい。また、成育マットは、複数の着生ブロック間に介設することが好ましい。
【００１８】
また、各着生ブロックは、ポーラスコンクリートブロックで構成されていることが好ましい。
【００１９】
この構成によれば、低コストで、海藻の着生に有用な着生ブロックを構成することができる。この場合、ポーラスコンクリートブロックは、市販のものを用いることが好ましい。
【図面の簡単な説明】
【００２０】
【図１】第１実施形態に係る藻場造成礁の斜視図である。
【図２】第１実施形態に係る藻場造成礁の分解斜視図である。
【図３】第２実施形態に係る藻場造成礁の斜視図である。
【図４】第３実施形態に係る藻場造成礁の斜視図である。
【発明を実施するための形態】
【００２１】
以下、添付の図面を参照して、本発明の一実施形態に係る藻場造成礁について説明する。この藻場造成礁は、クレーン等を用いることなく、人力で船積みされ且つ人力で浅瀬（水深５ｍ以内）に投入される比較的小型のものであり、主に「磯焼け」対策を意図した小規模の人口漁礁として用いられる。
【００２２】
図１の斜視図および図２の分解斜視図に示すように、藻場造成礁  １は、海藻の着生を促す着生部２と、着生部２を囲繞するようにして収容するかご部３と、を備えている。着生部２は、全体として直方体形状に形成され、かご部３は、着生部２と相補的形状の内法形状を有する直方体形状に形成されている。すなわち、かご部３は、着生部２の構成部材（後述する）を囲繞して、これを一体化する機能を有している。したがって、かご部３には、着生部２の構成部材が充填されている。
【００２３】
実施形態の藻場造成礁１は、取扱い性を考慮し、例えば１辺が３００ｍｍ程度の直方体形状（立方体形状）に形成されている。また、その重量は、人力で扱えるように３０Ｋｇ程度としている。
【００２４】
着生部２は、２枚の着生ブロック１１と、２枚の着生ブロック１１間に介設された成育マット１２と、を有している。すなわち、着生部２は、成育マット１２を２枚の着生ブロック１１でサンドイッチした形態を有している。
【００２５】
各着生ブロック１１は、海藻の着生を促すものであり、ポーラスコンクリートブロックで構成されている。言うまでもないが、ポーラスコンクリートブロックは、空隙に直物の生育や微生物の生息が可能な多孔質のコンクリートであり、海藻の胞子・幼芽の着床や海藻の根の活着を促進する。
【００２６】
この場合、各着生ブロック１１は、１枚（１個）のポーラスコンクリートブロックで構成してもよいが、実施形態の着生ブロック１１は、市販のポーラスコンクリートブロック（例えば、舗装用のもの）を、複数個並べて構成されている（図２参照）。具体的には、３００ｍｍ×３００ｍｍの着生ブロック１１は、２００ｍｍ×１００ｍｍの市販品ブロックの４個と、１００ｍｍ×１００ｍｍの市販品ブロックの１個と、を方形に並べて構成されている。
【００２７】
なお、ポーラスコンクリートブロックとして、球形のものを用いてもよい。もっとも、ポーラスコンクリートブロックは、かご部３から抜け落ちないサイズであれば、その形状は任意である。また、ポーラスコンクリートとして、海藻の着生を促進すべく、骨材に鉄片や貝殻を混入しもの、栄養塩を混入したもの等を用いることも好ましい。さらに、ポーラスコンクリートに、酸化鉄や栄養塩を塗着および含浸させておくことも好ましい。
【００２８】
成育マット１２は、魚介類の幼稚仔の成育を促すものであり、例えば透水マットで構成されている。透水マットは、大きな空隙を有しており、外敵から幼稚仔を守ると共に、幼稚仔の生育に必要な適度な潮流を許容する。実施形態の成育マット１２は、市販の定尺の透水マットを、着生ブロック１１の大きさに合わせて適宜裁断して構成されている。
【００２９】
また、成育マット１２は、適度な弾力性を有しており、両側に位置する２枚の着生ブロック１１を外方に押圧する。すなわち、成育マット１２は、各着生ブロック１１をかご部３に押し付け、複数の市販品（のポーラスコンクリートブロック）で構成された着生ブロック１１の型崩れを防止する。
【００３０】
なお、成育マット１２を、一方の着生ブロック１１の外側に配置するようにしてもよい。もっとも、成育マット１２は、上記のポーラスコンクリートブロックと同様に、かご部３から抜け落ちないサイズであれば、その形状は任意であり、またその配置位置も任意である。
【００３１】
かご部３は、「コ」字状の一対のかご構成体３Ａ，３Ｂを噛み合わせるように接合して、構成されている。各かご構成体３Ａ，３Ｂは、例えば細い普通鉄筋（丸鋼）を縦横に配筋し、側面視「コ」字状に形成したものである。この場合、縦横に配筋された丸棒は、その交差部分を溶接により接合するものであってもよいし、丸棒自体、縦横に編み込んだものであってもよい。また、鉄筋に代えて、チャンネル材等の棒状材を用いてもよい。
【００３２】
一方のかご構成体３Ａ（図示の下側）と他方のかご構成体３Ｂ（図示の上側）とは、同一の形態を有するものであり、これらを対向させ且つ相互に９０°ずらし、噛み合わせるように接合することで、かご部３が構成されている。この場合、一方のかご構成体３Ａと他方のかご構成体３Ｂとの接合は、溶接や線材（針金）をからげることにより行われる。
【００３３】
なお、かご部３は、藻場造成礁１を海底に定着させるアンカーとして機能させることができる。この場合、アンカーとしての重量は、使用する丸鋼の径で調整する。もっとも、コンクリート製や鋼製のアンカーを、別途、かご部３内に収容するようにしてもよい。また、特に図示しないが、かご部３の６つの面のうちの少なくとも１の面に、海底に定着させるための複数の突起部材（アンカー機能を促進）を設けるようにしてもよい。突起部材は、例えば鉄筋工事に用いる樹脂製のスペーサーを用い、これを縦横に配筋した丸棒の交差部分に装着する。
【００３４】
次に、図２を参照して、藻場造成礁１の組立方法について簡単に説明する。この組立方法では、先ず一方のかご構成体３Ａを上向きにして、床等に設置する。次に、下側の着生ブロック１１、成育マット１２および上側の着生ブロック１１を、この順で、一方のかご構成体３Ａに載せ込むようにする。ここで、他方のかご構成体３Ｂを下向きにし、一方のかご構成体３Ａに嵌め入れるようにする。一方のかご構成体３Ａに他方のかご構成体３Ｂを組み込んだら、溶接等によりこれらを接合し、藻場造成礁１が完成する。
【００３５】
このように構成された藻場造成礁１は、その複数個を海中に投入して藻場を形成する。複数個の藻場造成礁１は、潮流に流されないように海底に並べ、ロープ等により相互に連結しておくことが好ましい。船上にクレーン等がある場合には、予め複数個の藻場造成礁１を連結してから投入する。或いは、船上から複数個の藻場造成礁１を投入し、海中でこれらを連結する。
【００３６】
次に、図３を参照して、第２実施形態に係る藻場造成礁１Ａについて説明する。この実施形態では、主に第１実施形態と異なる部分について説明する。
同図に示すように、第２実施形態の藻場造成礁１Ａは、かご部３の底面に相当する部分に複数の突起３ａが設けられている。この突起３ａは、かご部３における縦方向の丸鋼を延長することで、構成されている。
【００３７】
このように構成された藻場造成礁１Ａは、海底において、複数の突起３ａを砂地に突き刺しておくことで、或いは複数の突起３ａが岩場に引っかかることで、潮流に抗する。すなわち、複数の突起３ａが、潮流に抗するアンカーとして機能し、海底における藻場造成礁１Ａの姿勢を安定させる。
【００３８】
次に、図４を参照して、第３実施形態に係る藻場造成礁１Ｂについて説明する。この実施形態では、主に第１実施形態と異なる部分について説明する。
同図に示すように、第３実施形態の藻場造成礁１Ｂは、かご部３の底面に相当する部分に複数の突起状キャップ２１が設けられている。第２実施形態と同様に、かご部３における縦方向の丸鋼が、底面から僅かに突出（延長）しており、この延長部３ｂに突起状キャップ２１が装着されている。突起状キャップ２１は、例えば鉄筋の端部に装着される樹脂製のキャップであり、先端が尖塔形状に形成されている。
【００３９】
このように構成された藻場造成礁１Ｂにおいても、海底において、複数の突起状キャップ２１を砂地に突き刺しておくことで、或いは複数の突起状キャップ２１が岩場に引っかかることで、潮流に抗する。すなわち、複数の突起状キャップ２１が、潮流に抗するアンカーとして機能する。
【００４０】
以上のように、本実施形態の藻場造成礁１，１Ａ，１Ｂによれば、着生ブロック１１および成育マット１２を、囲むように直方体形状のかご部３に収容するようにしているため、運搬等における取扱い性を向上させることができる。また、着生ブロック１１を市販のポーラスコンクリートブロックで構成しているため、海藻の着生を促す部材としての機能を損なうことなく、コストの低減を図ることができる。
【００４１】
さらに、鉄製のかご部３は、アンカーとして機能させることができると共に、着生した海藻に鉄分を供給することができる。しかも、かご部３は、全部または一部が共通となる部品を組み合わせることで簡単に作製することができ、この点でも、コストの低減を図ることができる。また、かご部３は、複数個の藻場造成礁１の連結を容易にする。さらに、藻場造成礁１，１Ａ，１Ｂの形状は、かご部３により決定されるため、運搬し易い大きさ、潮流に流され難い大きさ等、その形状やサイズを簡単に設計変更することができる。
【００４２】
なお、実施形態の藻場造成礁１，１Ａ，１Ｂでは、直方体形状としたが、藻場造成礁１，１Ａ，１Ｂの立体形状は、円錐台形状、角錐台形状、多面体形状等であってもよいし、蛇かごや布団かごに倣った形状であってもよい。また、かご部３には、カキやサザエの貝殻（ネットで包む）や溶岩やタコつぼとなる筒体を収容するようにしてもよい。すなわち、着生部は、上記実施形態に限定されるものではない
【符号の説明】
【００４３】
１，１Ａ，１Ｂ  藻場造成礁、２  着生部、３  かご部、１１  着生ブロック、１２  成育マット、３Ａ，３Ｂ  かご構成体、３ａ  突起、２１  突起状キャップ
【図１】
2015167524.tif 000003
【図２】
2015167524.tif 000004
【図３】
2015167524.tif 000005
【図４】
2015167524.tif 000006